(57)【要約】【課題】  磁性を有する様々な製品に吸着し、又は自在に位置を変更することができるティッシュケース構造を提供する。【解決手段】  ティッシュケース構造は、ティッシュケース１及び吸着部材２を備える。ティッシュケース１は、底板１１、第１の側板、頂板１２、第２の側板、折目線１５及び収納空間１６を有する。折目線１５は、底板１１、第１の側板、頂板１２及び第２の側板上に設けられる。収納空間１６は、底板１１、第１の側板、頂板１２及び第２の側板により画成される。ティッシュケース１の底板１１には、方形状をなし、方形状をなす吸着部材２が配置される複数の配置部が設けられる。吸着部材２により、磁性を有する様々な製品に自在に磁着される。底板１１は、端部に設けられた第１の接着部１１１と、左右両端に互いに対応して設けられ、第２の接着部１１３を有する第１の突合せ部とを有する。【選択図】  図１
0003175732.tif 000002
【実用新案登録請求の範囲】
【請求項１】
ティッシュケース及び吸着部材を備えたティッシュケース構造であって、
前記ティッシュケースは、底板、第１の側板、頂板、第２の側板、折目線及び収納空間を有し、前記折目線は、前記底板、前記第１の側板、前記頂板及び前記第２の側板上に設けられ、前記収納空間は、前記底板、前記第１の側板、前記頂板及び前記第２の側板により画成され、前記ティッシュケースの前記底板には、方形状をなし、方形状をなす前記吸着部材が配置される複数の配置部が設けられ、前記吸着部材により、磁性を有する製品に自在に吸着可能であることを特徴とするティッシュケース構造。
【請求項２】
前記底板は、端部に設けられた第１の接着部と、左右両端に互いに対応して設けられ、第２の接着部を有する第１の突合せ部と、を有することを特徴とする請求項１に記載のティッシュケース構造。
【請求項３】
前記第１の側板は、端部が、前記底板の端部に接続され、左右両端に、第３の突合せ部が互いに対応して設けられることを特徴とする請求項１に記載のティッシュケース構造。
【請求項４】
前記頂板は、端部が、前記第１の側板の端部に接続され、開口部と、左右両端に互いに対応して設けられた第２の突合せ部と、を有することを特徴とする請求項１に記載のティッシュケース構造。
【請求項５】
前記第２の側板は、端部が、前記頂板の端部に接続され、左右両端に、第４の突合せ部が互いに対応して設けられることを特徴とする請求項１に記載のティッシュケース構造。
【請求項６】
前記吸着部材は、前記底板の前記配置部に接着されて配置されることを特徴とする請求項１に記載のティッシュケース構造。
【請求項７】
前記配置部は方形状であり、前記吸着部材は方形状であることを特徴とする請求項６に記載のティッシュケース構造。
【請求項８】
前記吸着部材は磁石であることを特徴とする請求項７に記載のティッシュケース構造。
【請求項９】
前記吸着部材は金属材料からなることを特徴とする請求項７に記載のティッシュケース構造。
【考案の詳細な説明】
【技術分野】
【０００１】
本考案は、ティッシュケース構造に関するものであり、さらに詳しくは、磁性を有する様々な製品に吸着させ、又は自在に位置の変更が可能であり、また、占有空間が小さいティッシュケース構造に関するものである。
【背景技術】
【０００２】
図６を参照する。図６は、従来のティッシュケースとして、矩形状をなすケース６が示されている。頂面６０には引き裂き部６１が設けられている。引き裂き部６１と頂面６０とは、引き裂くことができるミシン目６２により接続されている。ケース６内のティッシュを抜き取るときには、ミシン目６２を引き裂いて引き裂き部６１を開ける。
【０００３】
従来のティッシュケースは、市販され始めてからかなり長い期間が経過しているが、構造が簡単で、外観が無味乾燥であるため魅力に乏しい。また、従来のティッシュケースは、固定させることができず、落下するのを防ぐために傾斜のない水平な場所に置く必要があり、占有空間が大きいという問題点がある。
【０００４】
特許第２６８１７４４号公報には、ティッシュケースのホルダーが記載されているが、構造が複雑であり、簡素な構造については開示されていない。
【特許文献１】特許第２６８１７４４号公報
【考案の概要】
【考案が解決しようとする課題】
【０００５】
従って、本考案の課題は、傾斜面に置くこともでき、位置の変更も可能であり、また、占有空間も小さいティッシュケース構造を提供することにある。
【課題を解決するための手段】
【０００６】
そこで、本考案者は、前記の本考案の課題を解決するため鋭意検討を重ねた結果、磁性を有する種々の材料の物品に吸着、特に磁着可能な部材を設けることにより、前記課題を解決できることに着目し、かかる知見に基いて本考案に想到するに至った。
【０００７】
かくして、上記課題を解決するために、本考案によれば、ティッシュケース及び吸着部材を備えたティッシュケース構造であって、
前記ティッシュケースは、底板、第１の側板、頂板、第２の側板、折目線及び収納空間を有し、前記折目線は、前記底板、前記第１の側板、前記頂板及び前記第２の側板上に設けられ、前記収納空間は、前記底板、前記第１の側板、前記頂板及び前記第２の側板により画成され、前記ティッシュケースの前記底板には、方形状をなし、方形状をなす前記吸着部材が配置される複数の配置部が設けられ、前記吸着部材により、磁性を有する製品に自在に吸着可能であることを特徴とするティッシュケース構造
が提供される。
【０００８】
前記底板は、端部に設けられた第１の接着部と、左右両端に互いに対応して設けられ、第２の接着部を有する第１の突合せ部と、を有することが好ましい。
【０００９】
前記第１の側板は、端部が、前記底板の端部に接続され、左右両端に、第３の突合せ部が互いに対応して設けられることが好ましい。
【００１０】
前記頂板は、端部が、前記第１の側板の端部に接続され、開口部と、左右両端に互いに対応して設けられた第２の突合せ部と、を有することが好ましい。
【００１１】
前記第２の側板は、端部が、前記頂板の端部に接続され、左右両端に、第４の突合せ部が互いに対応して設けられることが好ましい。
【００１２】
前記吸着部材は、前記底板の前記配置部に接着されて配置されることが好ましい。
【００１３】
前記配置部は方形状であり、前記吸着部材は方形状であることが好ましい。
【００１４】
前記吸着部材は磁石であることが好ましい。
【００１５】
前記吸着部材は金属材料からなることが好ましい。
【考案の効果】
【００１６】
本考案のティッシュケース構造は、磁性を有する様々な製品に磁着し、又は自在に位置の変更をすることができる。
【図面の簡単な説明】
【００１７】
【図１】本考案の一実施形態に係るティッシュケース構造を示す斜視図である。
【図２】本考案の一実施形態に係るティッシュケース構造を示す分解斜視図である。
【図３】本考案の一実施形態に係るティッシュケース構造を示す展開図である。
【図４】本考案の一実施形態に係るティッシュケース構造を冷蔵庫に磁着させた状態を示す斜視図である。
【図５】本考案の一実施形態に係るティッシュケース構造をホワイトボードに磁着させた状態を示す斜視図である。
【図６】従来のティッシュケース構造を示す分解斜視図である。
【考案を実施するための形態】
【００１８】
以下、本考案の実施形態について図面に基づいて具体的に説明する。なお、これによって本考案が限定されるものではない。
【００１９】
図１〜図３を参照する。図１〜図３に示すように、本考案の一実施形態に係るティッシュケース構造は、少なくともティッシュケース１及び吸着部材２から構成される。
【００２０】
ティッシュケース１は、底板１１、頂板１２、第１の側板１３、第２の側板１４、折目線１５及び収納空間１６を有する。折目線１５は、底板１１、頂板１２、第１の側板１３及び第２の側板１４上に設けられている。収納空間１６は、底板１１、頂板１２、第１の側板１３及び第２の側板１４により画成されている。ティッシュケース１の底板１１には、方形状をなし、吸着部材２が配置される複数の配置部１１４が設けられている。底板１１は、一方の端部に設けられた第１の接着部１１１と、左右両端に互いに対応するように設けられ、第２の接着部１１３を有する第１の突合せ部１１２とを有し、他方の側部に、第１の側板１３が接続されている。第１の側板１３は、左右両端に、第３の突合せ部１３１が互いに対応するように設けられ、端部に、頂板１２が接続されている。頂板１２は、開口部１２２と、左右両端に互いに対応するように設けられた第２の突合せ部１２１とを有し、端部に、第２の側板１４が接続されている。第２の側板１４は、左右両端に、第４の突合せ部１４１が互いに対応するように設けられ、端部に、底板１１の第１の接着部１１１が接着されている。第３の突合せ部１３１及び第４の突合せ部１４１は、折目線１５の位置で折り込まれ、第２の突合せ部１２１に密着する。第１の突合せ部１１２の第２の接着部１１３は、折目線１５の位置で折り込まれ、第２の突合せ部１２１に接着される。
【００２１】
吸着部材２は、金属材料からなり、方形状をなす磁石であり、底板１１の配置部１１４に接着されて配置されている。
【００２２】
吸着部材２は、金属材料からなる磁石であるため、磁性を有する様々な製品に吸着される。図４に示すように、ティッシュケース１は、底板１１上に配置された複数の吸着部材２により、冷蔵庫４の冷蔵庫扉４１に磁着されて固定される。ティッシュケース１の収納空間１６にはティッシュ３が収納されている。ティッシュ３は、ティッシュケース１の開口部１２２から抜き取ることができる。また、ティッシュケース１は、吸着部材２により、表面５１が磁性を有するホワイトボード５に磁着させることができる（図５参照）。このように、ティッシュケース１は、自在に位置を変えて使用することができる上、広い占有空間を必要としない。吸着部材２は、金属材料からなるため、磁性を有する装置又は製品に吸着されて固定される。
【００２３】
上述したことから分かるように、本考案は使用範囲が広く、磁性を有する製品、装置等（家電、家具、車体など）に自在に吸着させることができる。
【００２４】
本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１  ティッシュケース
２  吸着部材
３  ティッシュ
４  冷蔵庫
５  ホワイトボード
６  ケース
１１  底板
１２  頂板
１３  第１の側板
１４  第２の側板
１５  折目線
１６  収納空間
４１  冷蔵庫扉
５１  表面
６０  頂面
６１  引き裂き部
６２  ミシン目
１１１  第１の接着部
１１２  第１の突合せ部
１１３  第２の接着部
１１４  配置部
１２１  第２の突合せ部
１２２  開口部
１３１  第３の突合せ部
１４１  第４の突合せ部
【図１】
0003175732.tif 000003
【図２】
0003175732.tif 000004
【図３】
0003175732.tif 000005
【図４】
0003175732.tif 000006
【図５】
0003175732.tif 000007
【図６】
0003175732.tif 000008